(57)【特許請求の範囲】
【請求項１】
容器体口頸部へ嵌合させた装着筒１内から主筒１ａを起立し、該主筒前面からシリンダ２を、かつ主筒１ａ上端から射出筒３を、それぞれ前方突設し、又射出筒３前部に枢着させて垂設したトリガー４の上方後部に、シリンダ２内へ嵌合させたプランジャ５前端部を連結し、かつトリガー４を前方付勢させ、トリガーの前後方向揺動で容器体内液体をシリンダ２内へ吸込み、かつ該シリンダ内液体を射出筒３前端から噴出可能に設けたトリガー式液体噴出容器において、
上記トリガー４を前壁６の左右から側壁７を後方突出する横断面コ字形状として、それら左右両側壁上部外面に係合突部８を形成しておき、
トリガー４外面へ上下動自在に嵌合させた枠体１０後部からストッパ板１１を後方突設してストッパ部材１２を形成し、該ストッパ部材のトリガー４に対する上動によりストッパ板１１後端がシリンダ２下部前端へ、かつ枠体１０下端が係合突部８上端へ、それぞれ係合可能に形成し、
上記ストッパ部材１２は、ストッパ板１１後端がシリンダ２下部前端へ係合してトリガー４の後方への引寄せを不能にする係合位置と、ストッパ板１１後端がシリンダ２から下方へ離脱してトリガーの後方への引寄せを可能にする非係合位置とを有する、ことを特徴とするトリガー式液体噴出容器。
【請求項２】
容器体口頸部へ嵌合させた装着筒１内から主筒１ａを起立し、該主筒前面からシリンダ２を、かつ主筒１ａ上端から射出筒３を、それぞれ前方突設し、又射出筒前部に枢着させて垂設したトリガー２０の上方後部に、シリンダ内へ嵌合させたプランジャー５前端部を連結し、かつトリガーを前方付勢させ、トリガーの前後方向揺動で容器体内液体をシリンダ内へ吸込み、かつ該シリンダ内液体を射出筒前端から噴出可能に設けたトリガー式液体噴出容器において、
上記トリガー２０を前壁２１の左右から側壁２２を後方突出する横断面コ字形状としておき、
上記トリガー２０の左右両側壁２２間へ上下動自在に嵌合させた摺動板２３上部後面からストッパ板２６を後方突出してストッパ部材２９を形成し、該ストッパ部材のトリガーに対する上動でストッパ板２６後端がシリンダ２下部前端へ係合可能に形成し、
更に上記トリガー２０の左右両側壁２２内面と摺動板２３の左右方向側面との一方に係合突起３０を、他方に上下面閉塞の上下方向への長溝３１を形成し、該長溝内へ係合突起を上下動自在に嵌合させ、
上記ストッパ部材２９は、ストッパ板２６後端がシリンダ下部前端へ係合してトリガーの後方への引寄せを不能にする係合位置と、ストッパ板２６がシリンダから下方へ離脱してトリガーの後方への引寄せを可能にする非係合位置とを有し、
上記長溝３１の一部を、上記係合突起３０が強制通過可能な溝幅を有する幅狭部として、この幅狭部を係合突起３０が通過することで、ストッパ部材２９が上記係合位置から非係合位置へ移行する、ことを特徴とするトリガー式液体噴出容器。
【請求項３】
射出筒３前端部へ回動可能に液体噴出部を有するノズルキャップ１３を嵌合させ、これら嵌合部に、射出筒３に対するノズルキャップ１３の回動で射出筒３が有する射出筒孔と液体噴出部とを連通させ、又遮断させることが自在な液体通路開閉機構を設けた、ことを特徴とする請求項１又は２記載のトリガー式液体噴出容器。
【発明の詳細な説明】
【０００１】
【発明の属する技術分野】
本発明はトリガー式の液体噴出容器に関する。
【０００２】
【従来の技術】
例えば、実開平６−３１８５４号が示すように、容器体口頸部へ嵌合させた装着筒内から主筒１ａを起立し、該主筒前面からシリンダを、かつ主筒１ａ上端から射出筒を、それぞれ前方突出し、又射出筒前部に枢着させて垂設したトリガーの上方後部に、上記シリンダ内へ嵌合させたプランジャ前端部を連結し、かつトリガーを前方付勢させ、トリガーの前後方向揺動で容器体内液体をシリンダ内へ吸込み、かつ該シリンダ内液体を射出筒前端から噴出可能に設けたトリガー式の液体噴出容器が知られている。
【０００３】
また、実開昭６２−１８７６６５号が示すように、上記射出筒前端部へ回動可能に液体噴出孔を有するノズルキャップを嵌合させ、これら嵌合部分に射出筒に対するノズルキャップの回動で射出筒が有する射出筒孔と液体噴出孔とを連通させ、また遮断させることが自在な液体通路開閉機構を設けることも知られている。
【０００４】
【発明が解決しようとする課題】
上記前者の公知例にあっては、不用意にトリガーを引寄せても射出筒前端から液体を噴出するから、このような不用意な液体噴出を防止するための安全装置を設けることが望まれ、また後者公知例はそのような安全装置として設けられたが、該後者公知例にあってもその安全装置を施した状態でトリガーを無理に引寄せると、僅かにトリガーおよびプランジャが後退、前進することで容器体内液体が吸込まれ、その結果吸込み弁から上記射出筒前部とノズルキャップとが形成する液体通路開閉機構までの液体流入部分内へ過剰に液体が流入することとなり、該状態からノズルキャップを回して上記開閉機構を開くと、上記過剰に充填されていた液体が液体噴出孔から噴出するおそれがあった。
本発明はトリガー操作を不能とする安全装置を設けることで、上記のような不用意な液体噴出を防止できるよう設けたものである。
【０００５】
【課題を解決するための手段】
第１の手段として、容器体口頸部へ嵌合させた装着筒１内から主筒１ａを起立し、該主筒前面からシリンダ２を、かつ主筒１ａ上端から射出筒３を、それぞれ前方突設し、又射出筒３前部に枢着させて垂設したトリガー４の上方後部に、シリンダ２内へ嵌合させたプランジャ５前端部を連結し、かつトリガー４を前方付勢させ、トリガーの前後方向揺動で容器体内液体をシリンダ２内へ吸込み、かつ該シリンダ内液体を射出筒３前端から噴出可能に設けたトリガー式液体噴出容器において、
上記トリガー４を前壁６の左右から側壁７を後方突出する横断面コ字形状として、それら左右両側壁上部外面に係合突部８を形成しておき、
トリガー４外面へ上下動自在に嵌合させた枠体１０後部からストッパ板１１を後方突設してストッパ部材１２を形成し、該ストッパ部材のトリガー４に対する上動によりストッパ板１１後端がシリンダ２下部前端へ、かつ枠体１０下端が係合突部８上端へ、それぞれ係合可能に形成し、
上記ストッパ部材１２は、ストッパ板１１後端がシリンダ２下部前端へ係合してトリガー４の後方への引寄せを不能にする係合位置と、ストッパ板１１後端がシリンダ２から下方へ離脱してトリガーの後方への引寄せを可能にする非係合位置とを有する。
【０００６】
第２の手段として、容器体口頸部へ嵌合させた装着筒１内から主筒１ａを起立し、該主筒前面からシリンダ２を、かつ主筒１ａ上端から射出筒３を、それぞれ前方突設し、又射出筒前部に枢着させて垂設したトリガー２０の上方後部に、シリンダ内へ嵌合させたプランジャー５前端部を連結し、かつトリガーを前方付勢させ、トリガーの前後方向揺動で容器体内液体をシリンダ内へ吸込み、かつ該シリンダ内液体を射出筒前端から噴出可能に設けたトリガー式液体噴出容器において、上記トリガー２０を前壁２１の左右から側壁２２を後方突出する横断面コ字形状としておき、上記トリガー２０の左右両側壁２２間へ上下動自在に嵌合させた摺動板２３上部後面からストッパ板２６を後方突出してストッパ部材２９を形成し、該ストッパ部材のトリガーに対する上動でストッパ板２６後端がシリンダ２下部前端へ係合可能に形成し、更に上記トリガー２０の左右両側壁２２内面と摺動板２３の左右方向側面との一方に係合突起３０を、他方に上下面閉塞の上下方向への長溝３１を形成し、該長溝内へ係合突起を上下動自在に嵌合させ、上記ストッパ部材２９は、ストッパ板２６後端がシリンダ下部前端へ係合してトリガーの後方への引寄せを不能にする係合位置と、ストッパ板２６がシリンダから下方へ離脱してトリガーの後方への引寄せを可能にする非係合位置とを有し、上記長溝３１の一部を、上記係合突起３０が強制通過可能な溝幅を有する幅狭部として、この幅狭部を係合突起３０が通過することで、ストッパ部材２９が上記係合位置から非係合位置へ移行することを特徴とする。
上記幅狭部は、上記長溝３１の下部の一部として形成することができる。
【０００７】
第３の手段として、上記第１又は第２の手段を有すると共に、射出筒３前端部へ回動可能に液体噴出部を有するノズルキャップ１３を嵌合させ、これら嵌合部に、射出筒３に対するノズルキャップ１３の回動で射出筒３が有する射出筒孔と液体噴出部とを連通させ、又遮断させることが自在な液体通路開閉機構を設けた。
【０００９】
【発明の実施の形態】
以下、本発明に係るトリガー式液体噴出容器の実施形態を図面を参照しながら説明する。
まず、公知のトリガー式液体噴出容器について簡単に説明すると、図示しない容器体口頸部へ嵌合させた装着筒１内から主筒１ａを起立し、該主筒前面からシリンダ２を、かつ主筒１ａ上端から射出筒３を、それぞれ前方突出し、また射出筒３前部に枢着させて垂設したトリガー４の上部後側に、シリンダ２内へ嵌合させたプランジャ５前端部を連結し、トリガー４の前後方向揺動で容器体内液体をシリンダ２内へ吸込み、かつ該シリンダ内液体を射出筒３前端から噴出可能に設けている。
なお、トリガー４は、シリンダ２内に設けたプランジャ５付勢用のバネによりプランジャを介して、又は主筒１ａ等のトリガー４以外の部材に一端を取り付けたバネにより前方付勢させる。
【００１０】
図１乃至図４に示す請求項１記載の発明では、トリガー４を前壁６の左右から側壁７を後方突出する横断面コ字形状として、それら左右両側壁上部外面に上下方向へ伸びる突条である係合突部８を、前後方向に所定の間隔をおいて複数形成する。また前壁６前面に、係合突部８下端とほぼ等しい高さに位置させて上向き段部９を形成する。
【００１１】
さらにトリガー４外面へ上下動自在に嵌合させた矩形状の枠体１０後部からストッパ板１１を後方突設してストッパ部材１２を形成する。ストッパ板１１後端面はシリンダ下部前端面へ係合可能になっており、またストッパ板１１のこの係合位置において、枠体１０下端は係合突条８上端へ係合する。
【００１２】
なお、請求項３記載のように、射出筒３前端部へ回動可能に液体噴出孔を有するノズルキャップ１３を嵌合させ、これら嵌合部に、射出筒３に対するノズルキャップ１３の回動で射出筒３が有する射出筒孔と液体噴出孔とを連通させ、又遮断させることが可能な液体通路開閉機構を設けることも可能である。この液体通路開閉機構は、例えば実開昭６２−１８７６６５号に記載されているように公知である。
図中１４は主筒１ａに連通する吸込みパイプで、その下端は容器体（図示せず）底部に達する。
【００１３】
次に本実施形態の作用について説明する。ストッパ部材１２がトリガー４に対して上限位置に位置する場合には、図１及び図２に示すように、ストッパ板１１後端面がシリンダ２下部前端面へ係合しており、従って、トリガー４の後方への引寄せが不能である。なお、この状態では枠体１０下端が係合突部８上端へ係合しているため、ストッパ板１１後端がシリンダ２前端から下方へ離脱することが防止される。
【００１４】
トリガー４の後方への引寄せを可能にするためには、係合突部８上端を乗り越えさせて枠体１０を下降させて、ストッパ板１１をシリンダ２から下方へ離脱させればよい。なお、この状態では枠体１０の前下端は上向き段部９に係合し、かつ枠体１０の左右両内面は係合突部８へ乗り上がった状態にある。
【００１５】
なお、図示しない液体通路開閉機構により射出筒３の射出筒孔とノズルキャップ１３の液体噴出孔とを遮断させることも可能であるが、この場合でもトリガー４を僅かではあるが前後へ揺動させることも不可能ではなく、仮にこの液体通路開閉機構による遮断状態でトリガー４を揺動させると過剰充填が生じ、ここで液体噴出孔と射出筒孔とを連通させて遮断を解除すると液体が噴出するという不具合が生ずるが、上記ストッパ部材１２によりトリガー４を引寄せ不能にしておけばこのような事態を未然に防止することができる。
【００１６】
図５及び図６は請求項２記載のトリガー式液体噴出容器を示すもので、トリガー２０は前壁２１の左右から側壁２２を後方突出する横断面コ字形状に形成する。また、トリガーの左右両側壁２２間へ上下動自在に嵌合させた左右一対の摺動板２３間上面を閉塞する頂板２４を両側壁２２後方へ延出させると共に、その延出させた頂板２４部分の左右両側から短板２５を垂下して、これら頂板２４と短板２５とでストッパ板２６を形成し、さらに両摺動板２３間の前面を閉塞する前板２７をトリガー前壁２１へ上下動自在に接触させると共に、両摺動板２３下面を底板２８で閉塞してストッパ部材２９を形成し、該ストッパ部材のトリガー２０に対する上動でストッパ板２６後端がシリンダ下部前端へ係合可能に形成する。
【００１７】
さらにトリガー２０の左右両側壁２２内面から係合ピン３０を左右方向内方へ突設すると共に、左右両摺動板２３に上下面閉塞の上下方向への長溝３１を形成し、該長溝内へ係合ピン３０を上下動自在に嵌合させる。
これら係合ピン３０と長溝３１とは上記とは逆に、係合ピン３０を摺動板２３に、また長溝３１をトリガー側壁２２に形成することもできる。
なお、請求項４記載のように、長溝３１の前後両側面下部から突起３２を突設して、係合ピン３０が強制通過可能な溝幅に形成することが好ましい。
【００１８】
次に本実施形態の作用について説明する。
トリガー２０の後方への引寄せを不能にするためには、図５に示すように、ストッパ部材２９をトリガー２０に対して上動させて、ストッパ板２６後端面をシリンダ２下部前端面へ係合させればよい。
【００１９】
長溝３１に突起３２を形成した請求項４では、ストッパ部材２９を上動させると、係合ピン３０が相対的に下降して突起３２上面へ係合するが、ここからさらにストッパ部材２９を上動させると、係合ピン３０が前後両突起３２間を通過して突起３２下面へ係合する。したがってストッパ板２６後端面がシリンダ２前端面から離脱することが確実に防止される。
トリガー２０の後方への引寄せを可能にするためには、ストッパ部材２９を下降させてストッパ板２６をシリンダ２から下方へ離脱させればよい。
【００２０】
【発明の効果】
請求項１及び２記載のトリガー式液体噴出容器は、トリガーの後方への引寄せを不能にするストッパ部材を設けたので、不使用時におけるトリガーの後方への引寄せを不能とすることができ、このため子供の悪戯等本来の目的以外の噴出防止が図れる。
【００２１】
請求項３記載のトリガー式液体噴出容器は、トリガーの後方への引寄せを不能にすることができるため、液体通路開閉機構による液体噴出孔と射出筒孔との遮断後におけるトリガーの僅かの揺動によって生ずる過剰充填に起因する不測の噴出といった事態を未然に防止することができる。
【００２２】
請求項２記載のトリガー式液体噴出容器は、長溝下部の一部を係合突起が強制通過可能な溝幅に形成したので、ストッパ部材のシリンダからの離脱防止がより確実になる。
【図面の簡単な説明】
【図１】請求項１記載の発明に係るトリガー式液体噴出容器を示すもので、トリガー後方引寄せ不能時の状態を示す斜視図。
【図２】同じく、トリガー後方引寄せ不能時の状態を示す側面図。
【図３】同じく、図２のＸ−Ｘ線に沿う断面図。
【図４】同じく、図２のＹ方向からみた矢視図。
【図５】請求項２記載の発明に係るトリガー式液体噴出容器の一部切欠き側面図。
【図６】同じく、ストッパ部材の斜視図。
【符号の説明】
１  装着筒
１ａ  主筒
２  シリンダ
３  射出筒
４  トリガー
５  プランジャ
６  前壁
７  側壁
８  係合突部
１０  枠体
１１  ストッパ板
１２  ストッパ部材
１３  ノズルキャップ
１４  吸込みパイプ
２０  トリガー
２１  前壁
２２  側壁
２３  摺動板
２６  ストッパ板
２９  ストッパ部材
３０  係合突起
３１  長溝
【図１】
0003770444.tif 000002
【図２】
0003770444.tif 000003
【図３】
0003770444.tif 000004
【図４】
0003770444.tif 000005
【図５】
0003770444.tif 000006
【図６】
0003770444.tif 000007